(57)【要約】【課題】見たい画像を容易に表示できる画像表示装置が求められていた。【解決手段】画像表示装置は複数のグループのそれぞれについて、グループに属する複数の画像を他のグループに属する複数の画像に比べて互いに近接して配するとともに、複数のグループの間で複数の画像の大きさを異ならせて画面上に表示する画面表示部と、画面表示部に表示されている複数のグループのいずれかを選択する入力を受け付ける入力受付部とを備え、画面表示部は、入力受付部により選択が受け付けられた一のグループに属する複数の画像を、少なくとも選択される前よりも画面上で大きく表示する。【選択図】図３
2014137786.tif 000002
【特許請求の範囲】
【請求項１】
複数のグループのそれぞれについて、前記複数のグループに属する複数の画像を他のグループに属する前記複数の画像に比べて互いに近接して配するとともに、前記複数のグループの間で前記複数の画像の大きさを異ならせて画面上に表示する画面表示部と、
前記画面表示部に表示されている前記複数のグループのいずれかを選択する入力を受け付ける入力受付部と
を備え、
前記画面表示部は、前記入力受付部により選択が受け付けられた一のグループに属する前記複数の画像を、少なくとも選択される前よりも前記画面上で大きく表示する画像表示装置。
【請求項２】
前記画面表示部は、前記複数のグループを仮想的な奥行き感を持つように配する請求項１に記載の画像表示装置。
【請求項３】
前記画面表示部は、前記入力受付部による入力に基づいて、前記複数のグループの仮想的な奥行き感における前記複数のグループの順序を変更して表示する請求項２に記載の画像表示装置。
【請求項４】
前記画面表示部は、前記入力受付部による入力に基づいて、仮想的な奥行き感に交差する方向に前記複数のグループを移動して表示する請求項２に記載の画像表示装置。
【請求項５】
前記画面表示部は、前記複数のグループに重畳して、前記複数のグループのそれぞれに対応付けられた地模様画像をさらに表示する請求項１から４のいずれか１項に記載の画像表示装置。
【請求項６】
前記入力受付部は、前記複数のグループのいずれかの表示位置を移動する入力を受け付け、
前記画面表示部は、前記入力受付部により前記複数のグループのいずれかの表示位置を移動する入力を受け付けた場合に、前記複数のグループとともに前記地模様画像を移動して表示する請求項５に記載の画像表示装置。
【請求項７】
前記入力受付部は、前記地模様画像の表示位置を移動する入力を受け付け、
前記画面表示部は、前記入力受付部により前記地模様画像の表示位置を移動する入力を受け付けた場合に、前記地模様画像とともに前記複数のグループを移動して表示する請求項５に記載の画像表示装置。
【請求項８】
前記画面表示部は、グループに属する前記複数の画像を互いに一部重ねて表示する請求項１から７のいずれか１項に記載の画像表示装置。
【請求項９】
前記画面表示部は、前記グループに属する前記複数の画像うちの少なくとも一つを他の画像で覆う請求項８に記載の画像表示装置。
【請求項１０】
前記画面表示部は、前記グループに属する前記複数の画像の枚数を前記グループに対応付けて表示する請求項９に記載の画像表示装置。
【請求項１１】
複数のグループのそれぞれについて、前記複数のグループに属する複数の画像を他のグループに属する前記複数の画像に比べて互いに近接して配するとともに、前記複数のグループの間で前記複数の画像の大きさを異ならせて画面上に表示する段階と、
前記画面に表示されている前記複数のグループのいずれかを選択する入力を受け付ける段階と、
選択が受け付けられた一のグループに属する前記複数の画像を、少なくとも選択される前よりも前記画面上で大きく表示する段階と
を備える画像表示方法。
【請求項１２】
複数のグループのそれぞれについて、前記複数のグループに属する複数の画像を他のグループに属する前記複数の画像に比べて互いに近接して配するとともに、前記複数のグループの間で前記複数の画像の大きさを異ならせて画面上に表示する段階と、
前記画面に表示されている前記複数のグループのいずれかを選択する入力を受け付ける段階と、
選択が受け付けられた一のグループに属する前記複数の画像を、少なくとも選択される前よりも前記画面上で大きく表示する段階と
をコンピュータに実行させるプログラム。
【発明の詳細な説明】
【技術分野】
【０００１】
本発明は、画像表示装置、画像表示方法及びプログラムに関する。
【背景技術】
【０００２】
記録媒体に記録された画像を表示する場合、撮影した順にサムネイル画像を並べたり、撮影時の位置情報、又は日時情報で画像を分類して表示させる画像表示装置が知られている。
［先行技術文献］
［特許文献］
［特許文献１］特開２００７−１５８６０３号公報
【発明の概要】
【発明が解決しようとする課題】
【０００３】
画像を容易に検索して表示できる画像表示装置が求められていた。
【課題を解決するための手段】
【０００４】
本発明の第一態様として、複数のグループのそれぞれについて、グループに属する複数の画像を他のグループに属する複数の画像に比べて互いに近接して配するとともに、複数のグループの間で複数の画像の大きさを異ならせて画面上に表示する画面表示部と、画面表示部に表示されている複数のグループのいずれかを選択する入力を受け付ける入力受付部とを備え、画面表示部は、入力受付部により選択が受け付けられた一のグループに属する複数の画像を、少なくとも選択される前よりも画面上で大きく表示する画像表示装置が提供される。
【０００５】
本発明の第二態様として、複数のグループのそれぞれについて、グループに属する複数の画像を他のグループに属する複数の画像に比べて互いに近接して配するとともに、複数のグループの間で前記複数の画像の大きさを異ならせて画面上に表示する段階と、画面に表示されている複数のグループのいずれかを選択する入力を受け付ける段階と、選択が受け付けられた一のグループに属する複数の画像を、少なくとも選択される前よりも画面上で大きく表示する段階とを備える画像表示方法が提供される。
【０００６】
本発明の第三態様として、複数のグループのそれぞれについて、グループに属する複数の画像を他のグループに属する複数の画像に比べて互いに近接して配するとともに、複数のグループの間で複数の画像の大きさを異ならせて画面上に表示する段階と、画面に表示されている複数のグループのいずれかを選択する入力を受け付ける段階と、選択が受け付けられた一のグループに属する複数の画像を、少なくとも選択される前よりも画面上で大きく表示する段階とをコンピュータに実行させるプログラムが提供される。
【０００７】
上記の発明の概要は、本発明の必要な特徴の全てを列挙したものではない。これら特徴群のサブコンビネーションもまた発明となり得る。
【図面の簡単な説明】
【０００８】
【図１】撮像装置１００の背面斜視図である。
【図２】撮像装置１００の正面斜視図である。
【図３】撮像装置１００の機能ブロック図である。
【図４】画像表示処理のフローチャートである。
【図５】画像グループ内個別画像の表示処理のフローチャートである。
【図６】地模様がカレンダーである表示画面を示す。
【図７】図４に続く画像表示処理のフローチャートである。
【図８】地模様がカレンダーである表示画面を示す。
【図９】地模様がカレンダーである表示画面を示す。
【図１０】地模様がカレンダーである表示画面を示す。
【図１１】地模様が地図である表示画面を示す。
【図１２】地模様が地図である表示画面を示す。
【図１３】地模様がカレンダーである表示画面を示す。
【図１４】地模様がカレンダーである表示画面を示す。
【図１５】画像グループ内の画像表示変更処理のフローチャートである。
【図１６】地模様がカレンダーである表示画面を示す。
【図１７】地模様がカレンダーである表示画面を示す。
【図１８】地模様がカレンダーである表示画面を示す。
【図１９】地模様がカレンダーである表示画面を示す。
【図２０】個別画像選択画面を示す。
【図２１】地模様がカレンダーである表示画面の別の操作を説明する図である。
【図２２】地模様がカレンダーである表示画面の別の操作を説明する図である。
【図２３】地模様がカレンダーである表示画面の別の操作を説明する図である。
【図２４】地模様がカレンダーである表示画面の別の操作を説明する図である。
【図２５】地模様が地図である表示画面の別の操作を説明する図である。
【図２６】地模様が地図である表示画面の別の操作を説明する図である。
【発明を実施するための形態】
【０００９】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００１０】
図１は、撮像装置１００の背面斜視図であり、図２は正面斜視図である。撮像装置１００は、ＬＣＤ１０２と、ディスプレイスイッチ１０４と、再生スイッチ１０６と、メモリカード１０８と、シャッターボタン１１０と、電源スイッチ１１２と、メモリカードスロット１１４と、レンズ１１６とを有する。撮像装置１００は画像表示装置の一例である。
【００１１】
ＬＣＤ１０２の上面には透明なタッチパネル１２６が設けられる。タッチパネル１２６は、ユーザ１５０の入力を受け付ける入力受付部の一例である。タッチパネル１２６としては、静電容量方式、抵抗膜方式、赤外線方式、電磁誘導方式等、いずれの方式のタッチパネルが適用されても良い。
【００１２】
電源スイッチ１１２は、撮像装置１００の電源のＯＮからＯＦＦ、または、ＯＦＦからＯＮへの切り替えの入力を受け付ける。シャッターボタン１１０は撮像装置１００の上面に設けられ、被写体を撮像する指示の入力を受け付ける。
【００１３】
レンズ１１６は撮像装置１００の前面の中央部に設けられ、撮像時に被写体を撮像素子上に結像する。メモリカード１０８は撮像装置１００の側面下部に設けられたスロット１１４に着脱自在であり、撮像装置１００により撮影された静止画像、及び動画を記録する。
【００１４】
ＬＣＤ１０２は撮像装置１００の背面中央部に設けられ、種々の画像を表示する。ディスプレイスイッチ１０４はＬＣＤ１０２の右下部に設けられ、ＬＣＤ１０２の表示のＯＮとＯＦＦの切り替えの入力を受け付ける。再生スイッチ１０６はディスプレイスイッチ１０４の下に設けられ、撮像装置１００内に記録されている画像の再生の指示を受け付ける。
【００１５】
図３は撮像装置１００の機能ブロック図である。図３において、図１および図２と共通の要素には同じ参照番号を付して重複する説明を省く。
【００１６】
撮像装置１００は、時計１２０と、撮像部１２２と、位置情報取得部１２４と、システムメモリ１２８と、画面表示部１３０とをさらに備える。位置情報取得部１２４の一例はＧＰＳ受信器であり、ＧＰＳ衛星からの信号を受け取り、撮像装置１００の経度、緯度及び高度を算出する。
【００１７】
時計１２０は内部クロックにより時刻をカウントする。撮像部１２２はシャッターボタン１１０の押下により撮像の指示を受け付けた場合に、被写体を撮像して個別画像を生成する。撮像部１２２は、時計１２０から撮影日時情報を取得するとともに、位置情報取得部１２４から撮影位置情報を取得する。さらに、撮像部１２２は、レーティング設定と、サムネイル画像と、撮影日時情報と、撮影位置情報とを付加情報として添付して個別画像をメモリカード１０８に記録する。
【００１８】
上記レーティング設定は、ユーザにより、撮影時又は撮影後に撮影対象の重要度等を考慮して設定される。レーティング設定は例えば数字を用いた段階で示される。
【００１９】
画面表示部１３０はＬＣＤ１０２に表示する表示画面を生成して、当該ＬＣＤ１０２に表示させる。画面表示部１３０はタッチパネル１２６からの入力も受け付ける。
【００２０】
図４は画像表示処理のフローチャートである。また、図５はグループ内の個別画像の表示処理の操作を示すフローチャートである。また、図６は地模様がカレンダーである表示画面を説明する図である。
【００２１】
画像の検索表示処理の動作フローはユーザにより再生スイッチ１０６が押圧されることで開始する。まず画面表示部１３０はＬＣＤ１０２に地模様としてカレンダーを選択するか否かを表示し、ユーザの選択を待つ（Ｓ２０１）。
【００２２】
画面表示部１３０はカレンダーが選択されたと判断すると（Ｓ２０１：Ｙｅｓ）、画面表示部１３０はメモリカード１０８から全ての個別画像の撮影日時情報を読み出す（Ｓ２０２）。そして画面表示部１３０はその撮影日情報に基づいて、同じ日に撮影された個別画像をグループ化する（Ｓ２０３）。画面表示部１３０は画像グループの撮影日が新しい順に優先順位を決定する（Ｓ２０４）。
【００２３】
一方、画面表示部はカレンダーが選択されたと判断しないとき（Ｓ２０１：Ｎｏ）、ＬＣＤ１０２に地模様として地図を選択するか否かを表示して、ユーザの選択を待つ（Ｓ２１３）。画面表示部１３０は地図が選択されたと判断すると（Ｓ２１３：Ｙｅｓ）、画面表示部１３０はメモリカード１０８から全ての個別画像の撮影位置情報を読み出す（Ｓ２１４）。
【００２４】
そして画面表示部１３０は撮影位置情報を基に同じ地域で作成された個別画像をグループ化する（Ｓ２１５）。同じ地域とする範囲は、予め定められていてもよいし、ユーザにより変更されてもよい。当該地域の一例は行政区分の「地方」単位である。画面表示部１３０はさらに、画像グループ間の優先順位を、撮影位置が南西方向から北東方向へ向かう順に優先順位を決定する（Ｓ２０４）。
【００２５】
次にグループ内の画像の表示処理する（Ｓ２０５）。グループ内の画像の表示処理の動作フローについては図５を用いて説明する。
【００２６】
画面表示部１３０が個別画像にレーティング設定がされていると判断したとき（Ｓ３０１：Ｙｅｓ）、画面表示部１３０はメモリカード１０８からグループ内の個別画像のレーティング設定を読み出す（Ｓ３０２）。そして、画面表示部１３０はレーティング設定に基づいてグループ内の個別画像の優先順位を決定する（Ｓ３０３）。なお、同じレーティング設定がされた個別画像が複数存在した場合は、撮影日時が新しい個別画像の優先順位を高くする。画面表示部１３０が個別画像にレーティング設定がされていると判断しないとき（Ｓ３０１：Ｎｏ）、画面表示部１３０は撮影日時情報のみで個別画像の優先順位を決定する（Ｓ３０３）。
【００２７】
次に画面表示部１３０はグループ内の個別画像のサムネイル画像を読み出して、優先順位の高い順に５枚、予め定められた直径の円周上に並べて配置する（Ｓ３０４）。優先順位の高い個別画像に対応したサムネイル画像を前に配置して、後に表示させるサムネイル画像の一部を前のサムネイル画像に重ねるように近接させて配置して画像グループを作成する（Ｓ３０５）。同じ画像グループに属する複数の個別画像を互いに一部重ねて表示することにより一つの画像サイズを大きく表示しながらグループ全体をまとめて表示することができる。
【００２８】
本実施形態では個別画像のレーティング設定に基づいて画像グループ内の画像の優先順位を決定したが、優先順位の決定の方法はこれに限られない。画像グループ内にショートムービーがあるときは優先順位を静止画と比較して高くしても良く、個別画像がスマートフォトセレクター画像として選択された画像であるときは、優先順位を他の画像と比較して高くしても良い。
【００２９】
次に画面表示部１３０は画像グループ内の個別画像の枚数が６枚以上であるかを判断する（Ｓ３０６）。画面表示部１３０は個別画像の枚数が６枚以上あると判断したとき（Ｓ３０６：Ｙｅｓ）、画面表示部１３０は画像グループに属する複数の個別画像の枚数を記した表示を作成して（Ｓ３０７）、グループ内画像の表示処理の動作フローは終了する。一方、画面表示部１３０はグループ内の画像枚数が６枚以上あると判断しなかったとき（Ｓ３０６：Ｎｏ）、上記ステップＳ３０７をスキップしてグループ内画像の表示処理の動作フローは終了する。なお、一度に表示する画像数を５枚にしているのは一例であって、一度に表示する枚数はいくつであってもよい。
【００３０】
図４のフローチャートに戻って、画面表示部１３０は、画像グループ間の優先順位でグループ内の表示位置、および表示サイズを決定する（Ｓ２０６）。本実施形態において画面表示部１３０は、優先順位が１である画像グループを、表示画面の下部に、地模様画像に対応する位置に大きく表示して、それ以外は地模様画像に対応する位置に小さく表示するべく、位置およびサイズを決定する。これにより、ユーザに仮想的な奥行き感を感じさせる。
【００３１】
次に画面表示部１３０は複数の画像グループ間で互いの個別画像の表示が重なるかを判断する（Ｓ２０７）。画面表示部１３０は画像グループ間で重なる個別画像が有ると判断したとき（Ｓ２０７：Ｙｅｓ）、画面表示部１３０は優先順位の低いグループに属する個別画像を後ろに隠して表示しない（Ｓ２０８）。一方、画面表示部１３０は重なる個別画像がないと判断したとき（Ｓ２０７：Ｎｏ）、ステップＳ２０８をスキップする。そして、画面表示部１３０は作成した表示画面をＬＣＤ１０２に表示させ（Ｓ２０９）、画像グループの表示処理の動作フローは終了となる。
【００３２】
図６はステップＳ２０１で地模様としてカレンダーを選択したときに表示される表示画面を示している。表示画面に表示している地模様のカレンダー画像４０２、４０４はともに上から下に向かって漸次幅を広げて表示して、仮想的な奥行き感を持つように大きさを変えて配している。
【００３３】
画像グループ３００は、２０１２年５月２１日に撮影された個別画像２０２、２０４、２０６、２０８、２１０から成る。画像グループ３０２は２０１２年４月２５日に撮影された個別画像から成る。画像グループ３００の撮影日は画像グループ３０２の撮影日より早く、画像グループ３００は優先順位が１の画像グループであり、画像グループ３０２は優先順位が２の画像グループである。優先順位が１の画像グループ３００の個別画像のサイズは優先順位が２の画像グループ３０２の個別画像のサイズより大きく表示している。複数のグループの間で複数の画像の大きさを異ならせて画面上に表示することで、優先順位が高い画像グループ３００が手前側にあり、その他の画像グループ３０２等が奥側にあるという仮想的な奥行き感を持つ。
【００３４】
また、複数のグループの間で互いの画像が重ならないように表示することで、ユーザはグループ間の区別を明確に認識できる。本実施形態では優先順位が１のグループに属するサムネイル画像を大きく表示させ、その他の画像グループに属するサムネイル画像は小さく表示させて、二種の画像サイズの差で分類している。尚、大、中、小といった三種の画像サイズの差で分類しても良い。
【００３５】
複数の画像グループ３００、３０２に重畳して、複数のグループの撮影日にそれぞれ対応付けられた地模様画像であるカレンダー画像をさらに表示することで、ユーザは各画像グループの撮影日を視覚的に把握できる。また、複数のグループのそれぞれについて、グループに属する複数の画像を他のグループに属する複数の画像に比べて互いに近接して円周上に配することで、個別画像の画像サイズを大きくしながら画像グループ全体として小さくコンパクトにまとめられ、ユーザは個別画像がどの画像グループに属するのかを明確に把握できる。
【００３６】
図７は、図４に続く画像表示処理のフローチャートである。画面表示部１３０は、優先順位が１の画像グループが表示されている領域をユーザによりダブルタップされたかを判断する（Ｓ１０２）。
【００３７】
画面表示部１３０がユーザによりダブルタップされたと判断しないとき（Ｓ１０２：Ｎｏ）、画面表示部１３０は左下へのスワイプ操作がされたかを判断する（Ｓ１０３）。ここでスワイプ操作とはユーザがタッチパネル１２６上でいずれかの画像グループを指で接触して、接触状態のままタッチパネル１２６上で指を動かす操作をいう。
【００３８】
画面表示部１３０が左下へスワイプ操作がされたと判断したとき（Ｓ１０３：Ｙｅｓ）、画面表示部１３０は画像グループの優先順位を変更する。今まで優先順位が１であった画像グループ３００の優先順位を最後として、優先順位が２以降の画像グループの優先順位を１繰り上げる。すなわち、今まで優先順位が２であった画像グループ３０２の優先順位を１に変更して、優先順位が３であった画像グループ３０４の優先順位を２に変更する。
【００３９】
画面表示部１３０が全ての画像グループの優先順位を変更したら、図４のステップＳ２０６へ進む。これにより画面表示部１３０は、タッチパネル１２６により選択が受け付けられた画像グループに属する複数の画像を、少なくとも選択される前よりもＬＣＤ１０２上で大きく表示させる。
【００４０】
画面表示部１３０が左下へスワイプ操作がされたと判断しないとき（Ｓ１０３：Ｎｏ）、画面表示部１３０は右上へのスワイプ操作がされたかを判断する（Ｓ１０４）。画面表示部１３０が右上へのスワイプ操作がされたと判断したとき（Ｓ１０４：Ｙｅｓ）、画面表示部１３０は画像グループの優先順位を変更する。今まで優先順位が最後であった画像グループの優先順位を１に変更して、優先順位が１以降の画像グループの優先順位を１繰り下げる。すなわち、今まで優先順位が最後であった画像グループの優先順位を１に変更して、優先順位が１であった画像グループの優先順位を２に変更する。画面表示部１３０が全ての画像グループの優先順位を変更したら、図４のステップＳ２０６へ進む。
【００４１】
一方、画面表示部１３０で右上へのスワイプ操作がされたと判断しない場合（Ｓ１０４：Ｎｏ）、ステップＳ１０２へ進み、再びユーザによって優先順位が１の画像グループ領域がダブルタップされたかを判断する。
【００４２】
上記スワイプ操作による表示画面の変化について図６、図８から図１０を用いて説明する。図６、図８から図１０は地模様がカレンダーである表示画面を示す図である。
【００４３】
図６はユーザ１５０によりタッチパネル１２６上の画像グループ３０２の表示領域が接触された状態を示している。図８は、図６の状態からスワイプ操作が受け付けられた後の状態を示す。
【００４４】
ユーザ１５０がタッチパネル１２６に接触した状態で右上から左下へスワイプ操作がされることで（Ｓ１０３：Ｙｅｓ）、ユーザの操作に応じた処理を実行する（Ｓ１０５等）。図６に示す例においては、画面表示部１３０は優先順位が２の画像グループ３０２の優先順位を１として、優先順位が３の画像グループ３０４の優先順位を２とする（Ｓ１０５）。そして、優先順位が１の画像グループを表示画面下側に大きく配置して、それ以外の画像グループは小さく配置する（Ｓ２０６）。優先順位が１の画像グループの位置に対応させて地模様である地図画像を配置して、図８に示す表示画面をＬＣＤ１０２に表示する（Ｓ２１０）。
【００４５】
図８において、表示画面には画像グループ３００が表示されず、画像グループ３０２が前面下側に大きく表示され、今まで表示されていなかった画像グループ３０４が表示されている。画像グループ３００、３０２、３０４の優先順位が変更されたので、画像グループ３００、３０２、３０４の表示サイズと位置とが変更された。
【００４６】
画面表示部１３０は画像グループ３００、３０２、３０４の変更前の位置と、変更後の位置の間を補完する複数の補完画像を作成して、作成した複数の補完画像を予め定められた時間間隔で表示させることで、あたかも画像グループ３００、３０２、３０４がユーザの操作により移動されたかのように表示させてもよい。
【００４７】
一方、画像グループ３００、３０２、３０４の位置の変更に対応して、カレンダー画像４０４、４０６が表示される。画面表示部１３０はカレンダー画像４０４、４０６についても、変更前後を補完する複数の補完画像を作成して、画像グループ３００、３０２、３０４と同様に、あたかもユーザの操作により画像グループ３０２とともに移動されたかのように補完画像を表示してもよい。
【００４８】
尚、本実施形態では、ユーザからいずれかの画像グループを指で接触したスワイプ操作がなされたことにより、画像グループの表示位置を変更して、画像グループの位置に対応させて地模様画像を変更させた。これに代えて、ユーザから地模様を指で接触したスワイプ操作がなされたことにより、地模様画像の位置を変更して、その地模様画像の位置の変更に対応させて画像グループの表示位置を変更させても良い。
【００４９】
図９は、ユーザ１５０によりタッチパネル１２６上の画像グループ３０２の表示領域が接触された状態を示している。ユーザ１５０により右上へスワイプ操作されることで、画面表示部１３０はユーザの操作に応じた処理を実行する。
【００５０】
画面表示部１３０は優先順位が１の画像グループ３０２の優先順位を２に変更して、優先順位が３の画像グループ３００の優先順位を１に変更する。画面表示部１３０は優先順位が１に変更された画像グループ３００を表示画面の下側に配置するとともに、画像グループ３００の位置に対応させてカレンダー画像を配置した表示画面を作成する。画面表示部１３０は、図１０に示す表示画面をＬＣＤ１０２に表示する。
【００５１】
図１０の例では上記操作により図６の状態に戻っている。すなわち、画面表示部１３０は左下へのスワイプ操作を受け付けて表示画面を変更するとともに、画面表示部１３０は右上へのスワイプ操作も受け付けて表示画面を戻す変更をする。
【００５２】
図１１および図１２はステップＳ２１３で地図を選択したときに表示される表示画面を示している。図１１および図１２において他の図と共通の要素には同じ参照番号を付して重複する説明を省く。表示画面に表示している地模様の日本地図画像４２０は日本地図の南側を下側に幅を広げて、日本地図の北側を上側にして幅を狭めて、仮想的な奥行き感を持つように大きさを変えて表示している。
【００５３】
図１１には画像グループ３０６、３０８、３１０が表示されている。画像グループ３０６は九州地方で撮像されたグループであり、画像グループ３０８は関東地方で撮像されたグループであり、画像グループ３１０は北海道、東北地方で撮像されたグループである。地模様として地図を選択した場合、優先順位は南西から北東方向へ順番につけられるので、優先順位が１の画像グループは画像グループ３０６となる。画像グループ３０６は画像グループ３０８、３１０に対し大きく表示されている。また、画像グループ３１０に属する個別画像は１５枚ある。一つの画像グループで表示できる個別画像の枚数は５枚と予め定めているので、画面表示部１３０は、画像グループに属する複数の個別画像うちの少なくとも一つを他の個別画像で覆い、優先順位が６以降の個別画像を表示させない。そこで、ステップＳ３０７で作成した画像グループに属する複数の画像の枚数表示３１２を画面表示部１３０は画像グループ３１０に対応付けて表示させて、画像グループ３１０に属する個別画像の枚数を表示している。
【００５４】
図１１はユーザ１５０によりタッチパネル１２６上の画像グループ３０８の表示領域を接触された状態を示している。ユーザ１５０により左下へスワイプ操作がされたとき、画面表示部１３０はその操作を受け付け、表示画面を変更する。画面表示部１３０は優先順位が２の画像グループ３０８の優先順位を１に変更して、画像グループ３０８が表示画面下側に大きく表示されるように配置する。画像グループ３０８の位置に対応させて、画面表示部１３０は日本地図画像４２０の位置を変更した表示画面を作成して、ＬＣＤ１０２に表示する。ＬＣＤ１０２に表示された表示画面を図１２に示す。
【００５５】
図７のステップＳ１０２において、画面表示部１３０がユーザによりダブルタップされたと判断したとき（Ｓ１０２：Ｙｅｓ）、画面表示部１３０はダブルタップされた画像グループを拡大してＬＣＤ１０２に表示する（Ｓ１０７）。これにより、画面表示部１３０は、タッチパネル１２６により選択が受け付けられた画像グループに属する複数の画像を、少なくとも選択される前よりも画面上で大きく表示させる。
【００５６】
図１３および図１４は上記ステップＳ１０７により表示される表示画面を示す図である。図１３および図１４において、他の図と共通の要素には同じ参照番号を付して重複する説明を省く。
【００５７】
図１３において画像グループ３００は優先順位が１の画像グループであり、画像グループ３００の画像領域内をユーザ１５０によりダブルタップされたとする。この場合に、図１４に示すように、画像グループ３００が拡大して表示される。
【００５８】
尚、本実施形態において、優先順位が２の画像グループ３０２の領域をダブルタップしても画面表示部１３０はその操作を受け付けない。ユーザ１５０が画像グループ３０２に属する画像を選択したい場合は、ユーザ１５０はスワイプ操作をして、画像グループ３０２の優先順位を１に変更させる。そして、画像グループ３０２の画像領域内をダブルタップすることで、画面表示部１３０はその入力を受け付ける。
【００５９】
図７のステップＳ１０７に続き、画面表示部１３０は画像グループ内の個別画像の表示を変更処理する（Ｓ１０８）。画像グループ内の画像表示変更処理の動作フローは図１５を用いて説明する。
【００６０】
図１５は画像グループ内の画像表示変更処理の操作を示すフローチャートである。画面表示部１３０は画像グループの画像表示領域でスワイプ操作があったかを判断する（Ｓ４０１）。画面表示部１３０は画像表示領域でスワイプ操作があったと判断したとき（Ｓ４０１：Ｙｅｓ）、画面表示部１３０はスワイプの回転方向を確認する（Ｓ４０２）。一方、画面表示部１３０はスワイプ操作があったと判断しないとき（Ｓ４０１：Ｎｏ）、ステップＳ１０９へ進む。
【００６１】
画面表示部１３０がスワイプ方向は時計周りであったと判断したとき（Ｓ４０２：Ｙｅｓ）、画面表示部１３０は画像グループ内の個別画像の優先順位を変更する。優先順位が１であった個別画像の優先順位を最後に変更して、優先順位が２以降の個別画像の優先順位を１繰り上げる。すなわち、今まで優先順位が２であった画像の優先順位を１とするとともに、優先順位が３であった画像の優先順位を２とする。画面表示部１３０が全ての個別画像の優先順位を変更したら、ステップＳ４０５へ進む。
【００６２】
一方、画面表示部１３０がスワイプ方向は時計周りであったと判断しないときも（Ｓ４０２：Ｎｏ）、画面表示部１３０は画像の優先順位を変更する。今まで優先順位が最後であった画像の優先順位を１に変更して、優先順位１以降の画像の優先順位を１繰り下げる。画面表示部１３０が全ての個別画像の優先順位を入れ替えたら、ステップＳ４０５へ進む。
【００６３】
画面表示部１３０は選択したグループ内の個別画像の全てが３回前面に表示されたかを判断する（Ｓ４０５）。画面表示部１３０が表示されたと判断したとき（Ｓ４０５：Ｙｅｓ）、画面表示部１３０は優先順位の低い画像をグループから一時的に切り離して、表示画面の右下にサイズを小さくして配置して（Ｓ４０６）、ステップＳ４０７へ進む。一方、画面表示部１３０が表示されたと判断しないとき（Ｓ４０５：Ｎｏ）、ステップＳ４０７へ進む。
【００６４】
画面表示部１３０は変更した画像グループを含む表示画面を作成して、作成した表示画面をＬＣＤ１０２に表示してグループ内画像の表示変更処理の動作フローは終了となる。
【００６５】
図１６から図１８は画像グループ内の個別画像の表示が変更される場合の表示画面を示す。図１６から図１８において、他の図と共通の要素には同じ参照番号を付して重複する説明を省く。
【００６６】
図１６は画像グループ３００がＬＣＤ１０２に拡大表示された表示画面を示す。ユーザ１５０により画像グループ内の表示領域で時計周りのスワイプ操作をされ、画面表示部１３０はその入力を受け付け、個別画像の優先順位を変更する。優先順位が１である個別画像２０２の優先順位を５に変更して、優先順位が２以降の個別画像２０４、２０６、２０８、２１０の優先順位を１つ繰り上げる。画面表示部１３０は優先順位が１に変更された個別画像２０４を前面に配置した画像グループを作成する。画面表示部１３０は作成された画像グループと旧画像グループの表示を入れ替え、作成された画像グループの表示を含む表示画面をＬＣＤ１０２に表示する。ＬＣＤ１０２に表示された表示画面を図１７に示す。
【００６７】
図１７において、個別画像２０４の優先順位が１であるので、個別画像２０４が前面に表示される。尚、時計周りでないスワイプ操作を画面表示部１３０が受け付けたときは、ステップＳ４０４に従い、個別画像２１０が前面に表示される。
【００６８】
ユーザ１５０によりスワイプ操作が繰り返され、画像グループ３００に所属する全ての個別画像の優先順位が３回1になり、３回前面に表示されたと画面表示部１３０が判断したとき、画面表示部１３０は、ステップＳ２０５で定められた個別画像の優先順位に基づき、優先順位の低い個別画像を画像グループから一時的に切り離して、右下に小さく配置した表示画面を作成して、ＬＣＤ１０２に表示する。ＬＣＤ１０２に表示された表示画面を図１８に示す。
【００６９】
図１８において、個別画像２０６、２０８は優先順位が低く、画像グループ３００から切り離して、表示画面右下に小さく表示されている。本実施形態では、全体の４割の個別画像を切り離して表示させている。尚、切り離す個別画像の数は枚数で規定しても良い。また、タッチパネル１２６がユーザの特定の操作を画面表示部１３０が受け付けることで、個別画像を切り離す条件を変更できても良い。
【００７０】
優先順位の低い個別画像を切り離すことで、レーティングを高く設定した画像の検索を行いやすくできるとともに、レーティングを高く設定した画像をユーザに再認識させる効果も有する。
【００７１】
上記ステップＳ１０８に続き、図７のステップＳ１０９において、画面表示部１３０はユーザにより前面に表示された個別画像の領域をダブルタップしたかを判断する（Ｓ１０９）。画面表示部１３０がユーザによりダブルタップされたと判断しないとき（Ｓ１０９：Ｎｏ）、画面表示部１３０はユーザにより画像グループの表示領域外をダブルタップされたかを判断する（Ｓ１１０）。
【００７２】
画面表示部１３０は、ユーザにより画像グループの表示領域外をダブルタップされたと判断したとき（Ｓ１１０：Ｙｅｓ）、画面表示部はステップＳ１０７で拡大された画像グループのサイズを元のサイズに戻して（Ｓ１１１）、ステップＳ１０２へ進む。尚、ステップＳ１１１で画像グループのサイズを拡大前のサイズに戻す際、画面表示部１３０はステップＳ１０８で記録していた個別画像の優先順位が１になった回数、及び、優先順位の低い画像を切り離したことをリセットして、ステップＳ１０１で作成された画像グループの状態に戻す。
【００７３】
画面表示部１３０はユーザにより画像グループの表示領域外をダブルタップされたと判断しないとき（Ｓ１１０：Ｎｏ）、ステップＳ１０８に進み、再び、グループ内の画像グループ内の画像表示変更処理が行われる。また、画面表示部１３０がユーザにより個別画像がダブルタップされたと判断したとき（Ｓ１０９：Ｙｅｓ）、画面表示部１３０はユーザがダブルタップした個別画像をＬＣＤ１０２に表示する（Ｓ１１２）。
【００７４】
図１９および図２０は、個別画像がダブルタップされた場合の表示画面を示す。尚、図１８、図１９において他の図と共通の要素には同じ参照番号を付して重複する説明を省く。
【００７５】
図１９において、個別画像２０２は前面に表示されているので、画像グループ３００での優先順位は１である。優先順位が１である個別画像２０２の表示領域をユーザ１５０がダブルタップすると、画面表示部１３０はその入力を受け付け、画面表示部１３０は個別画像２０２に対応した記録画像２２０をメモリカード１０８から読み出して、図２０に示す表示画面をＬＣＤ１０２に表示する。画面表示部１３０は記録画像２２０を表示する表示画面の右下に戻るボタン４１２を表示する。
【００７６】
上記ステップＳ１１２に続き、画面表示部１３０はユーザにより戻るボタン４１２をタップしたかを判断する（Ｓ１１３）。画面表示部１３０はユーザが戻るボタン４１２をタップしたと判断したとき（Ｓ１１３：Ｙｅｓ）、記録画像２２０の表示画面をグループ画像表示画面に戻して、ステップＳ１０８に進む。画面表示部１３０はユーザが戻るボタン４１２をタップしたと判断しないとき（Ｓ１１３：Ｎｏ）、画面表示部１３０はユーザが再生スイッチ１０６を押圧したかを判断する（Ｓ１１４）。画面表示部１３０はユーザが再生スイッチ１０６を押圧したと判断しないとき（Ｓ１１４：Ｎｏ）、ステップＳ１１３に進む。画面表示部１３０はユーザが再生スイッチ１０６を押圧したと判断したとき（Ｓ１１４：Ｙｅｓ）、図７に示す動作フローは終了する。
【００７７】
図２１から図２５は、表示画面の別の操作を説明する図である。図２１から図２５において、他の図と共通の要素には同じ参照番号を付して重複する説明を省く。
【００７８】
図２１の表示画面にはカレンダー画像４０２とカレンダー画像４０４とが示されている。この状態でユーザ１５０が右方向へのスワイプ操作をすることで、画面表示部１３０はユーザの入力を受け付け、画面表示部１３０は左下へのスワイプよりも大きな単位で地模様を変更する。そして、変更後の地模様に対応する画像グループを配置して、その表示画面をＬＣＤ１０２に表示する。この表示画面を図２２に示す。図２２はカレンダー画像４０８とカレンダー画像４１０とが示されており、右方向のスワイプ操作の入力により、画面表示部１３０はカレンダーを１年単位で移動する。尚、図２２において、カレンダー画像４０８とカレンダー画像４１０に対応する画像グループがないので、画像グループは１つも表示されない。
【００７９】
左右方向のスワイプに代えて、上下方向のスワイプで表示画像を変更してもよい。この場合に、上記斜め方向のスワイプと区別すべく、指が２本でスワイプされた場合に上下方向のスワイプ操作がされたと判断してもよい。
【００８０】
図２３および図２４は上下方向のスワイプにおける表示画面の例を示す。ユーザ１５０が指２本で上方向へのスワイプ操作をすることで、画面表示部１３０はユーザの入力を受け付け、表示画面を変更して表示する。本実施形態においては上下方向のスワイプ操作は、左右方向のスワイプ操作と同じ表示画面となる。これに代えて、上下方向のスワイプ操作と左右方向のスワイプ操作とで異なる表示画面へ変更してもよい。
【００８１】
図２５、図２６は表示画面の別の操作を説明する図である。図２４、図２５において、他の図と共通の要素には同じ参照番号を付して重複する説明を省く。
【００８２】
図２５の表示画面には日本地図画像４２０が表示されている。また、ＬＣＤ１０２の右下には拡大表示ボタン４２２が表示されている。画像グループ３０６は優先順位が１の画像グループであるので、前面に大きく表示されている。ユーザが拡大表示ボタンをタップすると、画面表示部１３０はその入力を受け付け、優先順位が１のグループが属する地域を拡大する。そして画面表示部１３０は拡大された地域での表示画面をステップＳ１０１に従い作成して、図２６に示す表示画像をＬＣＤ１０２に表示する。
【００８３】
図２６の表示画面には九州地図画像４２４が表示され、九州の各県に対応した撮影位置情報に基づき個別画像がグループ化される。画像グループ３１４は鹿児島県で、画像グループ３１６は大分県で、画像グループ３１８は佐賀県で撮影された画像グループである。
この表示画面でユーザが左下方向へのスワイプ操作をして、画面表示部１３０がその入力を受け付けると、グループ画像の優先順位が変更され、及びグループ画像の表示に対応して、九州北部、四国、中国、近畿へと地模様画像が変化する。
【００８４】
図２６の表示画面で、さらに拡大表示ボタンがユーザにタップされ、画面表示部１３０がその入力を受け付けると、優先順位が１の画像グループが撮影された位置情報に対応した鹿児島県の地図画像を地模様画像として表示する。尚、ユーザにより画像グループの表示領域外をダブルタップされると、画面表示部１３０はその入力を受け付け、地模様画像の縮尺を拡大する。
【００８５】
このように、地図を地模様とした表示画面では、地図の縮尺をユーザ側で調整することができる。これによりユーザはユーザの検索したい地図の縮尺で、画像の撮影位置情報に対応つけて個別画像の検索を行える。
【００８６】
本実施形態において、地模様としてカレンダー画像、及び地図画像を用いた例を示したが、これに限られず、種々の画像を用いることができる。レーティングの設定そのものを地模様として表示させ、地模様に対応させた画像グループを表示させても良い。
【００８７】
以上、本発明を実施の形態を用いて説明したが、本発明の技術的範囲は上記実施の形態に記載の範囲には限定されない。また、上記実施の形態に、多様な変更または改良を加え得ることが当業者に明らかである。更に、変更または改良を加えた形態も本発明の技術的範囲に含まれ得ることは、特許請求の範囲の記載から明らかである。
【００８８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８９】
１００  撮像装置、１０２  ＬＣＤ、１０４  ディスプレイスイッチ、１０６  再生スイッチ、１０８  メモリカード、１１０  シャッターボタン、１１２  電源スイッチ、１１４  スロット、１１６  レンズ、１２０  時計、１２２  撮像部、１２４  位置情報取得部、１２６  タッチパネル、１２８  システムメモリ、１３０  画面表示部、１５０  ユーザ、２０２、２０４、２０６、２０８、２１０  個別画像、２２０  記録画像、３００、３０２、３０４、３０６、３０８、３１０、３１４、３１６、３１８  画像グループ、３１２  枚数表示、４０２  カレンダー画像、４０４  カレンダー画像、４０６  カレンダー画像、４０８  カレンダー画像、４１０  カレンダー画像、４１２  戻るボタン、４２０  日本地図画像、４２２  拡大表示ボタン、４２４  九州地図画像
【図１】
2014137786.tif 000003
【図２】
2014137786.tif 000004
【図３】
2014137786.tif 000005
【図４】
2014137786.tif 000006
【図５】
2014137786.tif 000007
【図６】
2014137786.tif 000008
【図７】
2014137786.tif 000009
【図８】
2014137786.tif 000010
【図９】
2014137786.tif 000011
【図１０】
2014137786.tif 000012
【図１１】
2014137786.tif 000013
【図１２】
2014137786.tif 000014
【図１３】
2014137786.tif 000015
【図１４】
2014137786.tif 000016
【図１５】
2014137786.tif 000017
【図１６】
2014137786.tif 000018
【図１７】
2014137786.tif 000019
【図１８】
2014137786.tif 000020
【図１９】
2014137786.tif 000021
【図２０】
2014137786.tif 000022
【図２１】
2014137786.tif 000023
【図２２】
2014137786.tif 000024
【図２３】
2014137786.tif 000025
【図２４】
2014137786.tif 000026
【図２５】
2014137786.tif 000027
【図２６】
2014137786.tif 000028